(57)【要約】【課題】組み立て作業を円滑に行うことが可能な遊技機の提供を目的とする。【解決手段】本発明のパチンコ遊技機１０は、係止端位置と解除端位置との間で回動する可倒式係止レバー１１０を備え、係止端位置と解除端位置との中間に連動係止境界位置を設定した。また、ガラス扉９５には、可倒式係止レバー１１０が連動係止境界位置と係止端位置との間に配置されている場合、ガラス扉９５を閉鎖位置に移動させたときに可倒式係止レバー１１０に当接して係止端位置まで回動させる一方、可倒式係止レバー１１０が連動係止境界位置より解除端位置側に配置されている場合、ガラス扉９５を閉鎖位置に移動させたときに可倒式係止レバー１１０に当接して解除端位置まで回動させる扉側押圧部材９３を設けた。【選択図】図２０
2011010773.tif 000002
【特許請求の範囲】
【請求項１】
遊技板が内側に嵌め込まれる遊技板嵌合部を有する遊技板収容枠と、
前記遊技板収容枠における前記遊技板嵌合部の開口縁に設けられて、前記遊技板を前記遊技板嵌合部内に抜け止めする係止状態と、前記遊技板を前記遊技板嵌合部から離脱可能とする係止解除状態とに変更可能な遊技板係止機構と、
前記遊技板収容枠の一側縁部に連結されて、前記係止状態の前記遊技板係止機構を覆いかつ前記遊技板収容枠に重ね合わされた閉鎖位置と、前記係止状態の前記遊技板係止機構を前記係止解除状態に切り替え操作可能とする開放位置との間を回動可能な開閉扉と、
前記遊技板係止機構に設けられて、前記遊技板嵌合部の一開口縁に配置され、その一開口縁と平行な回動軸を中心に回動可能な回動係止部材とを備え、
前記回動係止部材は、係止端位置と解除端位置との間で回動し、前記係止端位置に配置されたときに前記遊技板のうち前記開閉扉側を向いた主平面に係止して前記遊技板を前記遊技板嵌合部に抜け止めする一方、前記解除端位置に配置されたときに前記遊技板の前記遊技板嵌合部への着脱を許容する遊技機において、
前記開閉扉には、前記回動係止部材が前記係止端位置と前記解除端位置との間に配置されている場合、前記開閉扉を前記閉鎖位置に向けて回動させたときに前記回動係止部材を押して前記係止端位置側に回動させることで、前記遊技板係止機構を前記係止状態にする扉側押圧部材が備えられていることを特徴とする遊技機。
【請求項２】
前記回動係止部材が前記解除端位置に配置された状態では、前記開閉扉の前記閉鎖位置への移動が前記回動係止部材又は前記遊技板との干渉によって禁止され、前記回動係止部材が前記係止端位置に配置された状態では、前記開閉扉の前記閉鎖位置への移動が許容され、
前記係止端位置と前記解除端位置との間に連動係止境界位置が設定され、
前記扉側押圧部材は、前記回動係止部材が前記連動係止境界位置と前記係止端位置との間に配置された状態で前記開閉扉を前記閉鎖位置に向けて回動させたときに、前記回動係止部材を押して前記係止端位置側に回動させることで、前記遊技板係止機構を前記係止状態にする一方、前記回動係止部材が前記連動係止境界位置より前記解除端位置側に配置された状態で前記開閉扉を前記閉鎖位置に向けて回動させたときには、前記回動係止部材が押されても前記係止端位置側への回動が禁止されるように構成されたことを特徴とする請求項１に記載の遊技機。
【請求項３】
遊技板が内側に嵌め込まれる遊技板嵌合部を有する遊技板収容枠と、
前記遊技板収容枠における前記遊技板嵌合部の開口縁に設けられて、前記遊技板を前記遊技板嵌合部内に抜け止めする係止状態と、前記遊技板を前記遊技板嵌合部から離脱可能とする係止解除状態とに変更可能な遊技板係止機構と、
前記遊技板収容枠の一側縁部に連結されて、前記係止状態の前記遊技板係止機構を覆いかつ前記遊技板収容枠に重ね合わされた閉鎖位置と、前記係止状態の前記遊技板係止機構を前記係止解除状態に切り替え操作可能とする開放位置との間を回動可能な開閉扉と、
前記遊技板係止機構に設けられて、前記遊技板嵌合部の一開口縁に配置され、その一開口縁と平行な回動軸を中心に係止端位置と解除端位置との間で回動し、前記係止端位置に配置されたときに前記遊技板のうち前記開閉扉側を向いた主平面に係止して前記遊技板を前記遊技板嵌合部に抜け止めする一方、前記解除端位置に配置されたときに前記遊技板の前記遊技板嵌合部への着脱を許容する回動係止部材とを備えた遊技機において、
前記回動係止部材が前記解除端位置に配置された状態では、前記開閉扉の前記閉鎖位置への移動が前記回動係止部材又は前記遊技板との干渉によって禁止され、前記回動係止部材が前記係止端位置に配置された状態では、前記開閉扉の前記閉鎖位置への移動が許容され、
前記回動係止部材は、前記遊技板嵌合部に前記遊技板を嵌合させた場合に、前記遊技板と係合して前記係止端位置と前記解除端位置との間で回動が停止した回動停止状態にすることが可能であり、
前記開閉扉には、前記回動係止部材が、前記係止端位置と前記解除端位置との間の所定位置より前記解除端位置側で前記回動停止状態になっている場合、前記開閉扉を前記閉鎖位置に向けて回動させたときに前記遊技板或いは前記回動係止部材との干渉によって前記回動停止状態の前記回動係止部材を前記係止端位置に回動させることを禁止する一方、前記回動係止部材が、前記係止端位置と前記解除端位置との間の所定位置と前記係止端位置との間で前記回動停止状態になっている場合、前記開閉扉を前記閉鎖位置に向けて回動させたときに前記遊技板或いは前記回動係止部材を押すことによって、前記回動停止状態の前記回動係止部材を前記係止端位置側に回動させる扉側押圧部材が備えられていることを特徴とする遊技機。
【請求項４】
前記回動係止部材が前記解除端位置に配置された状態では、前記開閉扉の前記閉鎖位置への移動が前記遊技板との干渉によって禁止され、
前記回動係止部材が前記解除端位置に配置されかつ、前記遊技板を前記遊技板収容枠から離脱させた状態では、前記開閉扉の前記閉鎖位置への移動が許容されるように構成したことを特徴とする請求項１乃至３の何れか１項に記載の遊技機。
【請求項５】
前記回動係止部材の回動に伴って弾性変形量が変わりかつ、その弾性変形量が前記回動係止部材の回動可能範囲の中間で最大になる付勢部材を設け、
前記遊技板を前記遊技板収容枠から離脱させた状態で、任意の回動位置の前記回動係止部材を、前記付勢部材の弾発力によって前記回動係止部材の回動可能範囲の一端位置側か又は他端位置側に移動させるようにしたことを特徴とする請求項１乃至４の何れか１項に記載の遊技機。
【請求項６】
前記回動係止部材は、前記係止端位置で前記遊技板の前記主平面に対向する係止突部と、前記係止突部との間で前記遊技板を板厚方向で挟む離脱補助突部と、前記係止突部と前記離脱補助突部との間を連絡しかつ前記回動軸が貫通した連絡部と、前記係止突部から前記開閉扉側に張り出した回動操作部とを備え、
前記回動係止部材を前記係止端位置から前記解除端位置へと回動操作することで、前記離脱補助突部が前記遊技板を前記主平面と反対側から押して前記遊技板嵌合部から押し出すように構成したことを特徴とする請求項１乃至５の何れか１項に記載の遊技機。
【請求項７】
前記遊技板嵌合部のうち前記開閉扉の回動中心に近い一側部に、前記遊技板の一側部を前記開閉扉側から抜け止めする固定抜止部を設け、
前記遊技板の一側部を、前記遊技板嵌合部のうち前記固定抜止部の奥側に斜め側方から挿入した一側部嵌合状態にしてから、前記遊技板を回動して前記遊技板嵌合部に全体が嵌合した完全嵌合状態へと変更可能とし、
前記回動係止部材を前記係止端位置から前記解除端位置へと回動操作することで、前記遊技板を前記完全嵌合状態から前記一側部嵌合状態へと変更可能としたことを特徴とする請求項６に記載の遊技機。
【請求項８】
前記遊技板は、前記一側部嵌合状態になる位置から前記完全嵌合状態になる位置までの任意の位置で、前記遊技板嵌合部との摩擦力にて停止可能としたことを特徴とする請求項７に記載の遊技機。
【請求項９】
前記回動係止部材を前記遊技板嵌合部における下辺側の開口縁に配置して、前記一側部嵌合状態になった前記遊技板を前記回動係止部材にて支持可能としたことを特徴とする請求項７又は８に記載の遊技機。
【請求項１０】
前記回動係止部材は、前記遊技板の下縁部を板厚方向で挟持可能な１対の板挟持部を有したＵ字形状部を対にして左右方向に対向配置して備えると共に、前記各Ｕ字形状部のうち前記１対の板挟持部の下端部間を連絡する底辺部を貫通した回動中心シャフトによって回動可能に支持され、
前記離脱補助突部は、前記遊技板より前記開閉扉から離れた側の前記板挟持部で構成され、
前記回動操作部は、両方の前記Ｕ字形状部における前記開閉扉に近い側の前記板挟持部の上端部間を連絡すると共に前記Ｕ字形状部より前記開閉扉側に突出し、
前記扉側押圧部材は、前記回動係止部材が前記係止端位置に配置されている状態で、前記回動操作部の下方に位置して、前記回動係止部材の前記解除端位置側への回動を規制することを特徴とする請求項６乃至９の何れか１項に記載の遊技機。
【請求項１１】
前記回動係止部材は、板金を折り曲げてなり、
前記回動操作部は、前記遊技板の前記主平面と直交しかつ板厚方向が上下方向を向いた突片構造をなし、
前記各Ｕ字形状部は、板厚方向が左右方向を向きかつ前記遊技板より前記開閉扉側の前記板挟持部が、前記回動操作部のうち前記遊技板側の端部の両側縁から下方に直角曲げされた状態で連絡され、
板金を溝形に折り曲げてなる溝形ベース部における１対の対向壁間に前記回動中心シャフトを差し渡し、
前記溝形ベース部を前記遊技板収容枠のうち前記遊技板嵌合部の開口縁に固定したことを特徴とする請求項１０に記載の遊技機。
【請求項１２】
前記遊技板嵌合部の開口縁に陥没形成した機構受容部の内側に前記溝形ベース部を固定し、
前記溝形ベースの底部から垂直に起立した支柱と、前記支柱に対して上下動可能に嵌合されかつ前記溝形ベース部より前記開閉扉に張り出した可動板と、前記支柱に遊嵌して前記可動板と前記溝形ベースの底部との間で圧縮状態にして挟持されたコイルバネとを備え、
前記回動中心シャフトを前記可動板より上側位置で前記１対の対向壁間に差し渡して、前記各Ｕ字形状部の底辺部に下方から前記可動板を押し付けると共に、
前記各Ｕ字形状部の底辺部のうち前記可動板が当接する下縁部は、前記回動中心シャフトを中心とした円弧部と、前記円弧部と連続した平坦部と、前記円弧部と前記平坦部とが交差してなる角部とを有し、
前記係止端位置で前記平坦部が前記可動板と当接し、
前記解除端位置で前記円弧部が前記可動板と当接し、
前記係止端位置から前記解除端位置に向かって回動する過程で前記角部が前記可動板と摺接しながら前記可動板を押し下げるように構成したことを特徴とする請求項１１に記載の遊技機。
【発明の詳細な説明】
【技術分野】
【０００１】
本発明は、遊技板嵌合部を有する遊技板収容枠と、遊技板収容枠の一側縁部に連結されて閉鎖位置と開放位置との間を回動可能な開閉扉とを備えた遊技機に関する。
【背景技術】
【０００２】
従来、この種の遊技機として、遊技板嵌合部に嵌め込んだ遊技板を抜け止めするために、遊技板収容枠に回動係止部材を備えたものが知られている。この回動係止部材は、係止端位置と解除端位置との間で回動可能であり、係止端位置で遊技板と係止して遊技板嵌合部に抜け止めする一方、解除端位置では遊技板嵌合部に対する遊技板の着脱を許容するようになっている。そして、回動係止部材の係止忘れを防止するために、回動係止部材が解除端位置に配置された状態で開閉扉を閉鎖位置に向けて移動させた場合には、開閉扉が回動係止部材と干渉して閉鎖位置への移動を禁止するように構成されていた（例えば、特許文献１参照）。
【先行技術文献】
【特許文献】
【０００３】
【特許文献１】特開２００４−２０８９４７号公報（段落［００４７］〜［００５２］、第１４図〜第１６図）
【発明の概要】
【発明が解決しようとする課題】
【０００４】
ところが、上述した従来の遊技機では、解除端位置のときのみならず、解除端位置と係止端位置との間の中間位置に位置する場合でも、開閉扉の閉鎖位置への移動を禁止する構成となっていた。即ち、回動係止部材が係止端位置に位置する場合しか開閉扉を閉鎖することができなかった。このため、開閉扉を閉鎖することができない事態が起こり易く、円滑な組み立て作業の妨げとなり得た。
【０００５】
本発明は、上記事情に鑑みてなされたもので、組み立て作業を円滑に行うことが可能な遊技機の提供を目的とする。
【課題を解決するための手段】
【０００６】
上記目的を達成するためになされた請求項１の発明に係る遊技機は、遊技板が内側に嵌め込まれる遊技板嵌合部を有する遊技板収容枠と、遊技板収容枠における遊技板嵌合部の開口縁に設けられて、遊技板を遊技板嵌合部内に抜け止めする係止状態と、遊技板を遊技板嵌合部から離脱可能とする係止解除状態とに変更可能な遊技板係止機構と、遊技板収容枠の一側縁部に連結されて、係止状態の遊技板係止機構を覆いかつ遊技板収容枠に重ね合わされた閉鎖位置と、係止状態の遊技板係止機構を係止解除状態に切り替え操作可能とする開放位置との間を回動可能な開閉扉と、遊技板係止機構に設けられて、遊技板嵌合部の一開口縁に配置され、その一開口縁と平行な回動軸を中心に回動可能な回動係止部材とを備え、回動係止部材は、係止端位置と解除端位置との間で回動し、係止端位置に配置されたときに遊技板のうち開閉扉側を向いた主平面に係止して遊技板を遊技板嵌合部に抜け止めする一方、解除端位置に配置されたときに遊技板の遊技板嵌合部への着脱を許容する遊技機において、開閉扉には、回動係止部材が係止端位置と解除端位置との間に配置されている場合、開閉扉を閉鎖位置に向けて回動させたときに回動係止部材を押して係止端位置側に回動させることで、遊技板係止機構を係止状態にする扉側押圧部材が備えられているところに特徴を有する。
【０００７】
請求項２の発明は、請求項１に記載の遊技機において、回動係止部材が解除端位置に配置された状態では、開閉扉の閉鎖位置への移動が回動係止部材又は遊技板との干渉によって禁止され、回動係止部材が係止端位置に配置された状態では、開閉扉の閉鎖位置への移動が許容され、係止端位置と解除端位置との間に連動係止境界位置が設定され、扉側押圧部材は、回動係止部材が連動係止境界位置と係止端位置との間に配置された状態で開閉扉を閉鎖位置に向けて回動させたときに、回動係止部材を押して係止端位置側に回動させることで、遊技板係止機構を係止状態にする一方、回動係止部材が連動係止境界位置より解除端位置側に配置された状態で開閉扉を閉鎖位置に向けて回動させたときには、回動係止部材が押されても係止端位置側への回動が禁止されるように構成されたところに特徴を有する。ここで、本発明における「連動係止境界位置と係止端位置との間」とは「連動係止境界位置」を含む範囲を意味し、「連動係止境界位置より解除端位置側」とは「連動係止境界位置」を含まない範囲を意味する。
【０００８】
請求項３の発明に係る遊技機は、遊技板が内側に嵌め込まれる遊技板嵌合部を有する遊技板収容枠と、遊技板収容枠における遊技板嵌合部の開口縁に設けられて、遊技板を遊技板嵌合部内に抜け止めする係止状態と、遊技板を遊技板嵌合部から離脱可能とする係止解除状態とに変更可能な遊技板係止機構と、遊技板収容枠の一側縁部に連結されて、係止状態の遊技板係止機構を覆いかつ遊技板収容枠に重ね合わされた閉鎖位置と、係止状態の遊技板係止機構を係止解除状態に切り替え操作可能とする開放位置との間を回動可能な開閉扉と、遊技板係止機構に設けられて、遊技板嵌合部の一開口縁に配置され、その一開口縁と平行な回動軸を中心に係止端位置と解除端位置との間で回動し、係止端位置に配置されたときに遊技板のうち開閉扉側を向いた主平面に係止して遊技板を遊技板嵌合部に抜け止めする一方、解除端位置に配置されたときに遊技板の遊技板嵌合部への着脱を許容する回動係止部材とを備えた遊技機において、回動係止部材が解除端位置に配置された状態では、開閉扉の閉鎖位置への移動が回動係止部材又は遊技板との干渉によって禁止され、回動係止部材が係止端位置に配置された状態では、開閉扉の閉鎖位置への移動が許容され、回動係止部材は、遊技板嵌合部に遊技板を嵌合させた場合に、遊技板と係合して係止端位置と解除端位置との間で回動が停止した回動停止状態にすることが可能であり、開閉扉には、回動係止部材が、係止端位置と解除端位置との間の所定位置より解除端位置側で回動停止状態になっている場合、開閉扉を閉鎖位置に向けて回動させたときに遊技板或いは回動係止部材との干渉によって回動停止状態の回動係止部材を係止端位置に回動させることを禁止する一方、回動係止部材が、係止端位置と解除端位置との間の所定位置と係止端位置との間で回動停止状態になっている場合、開閉扉を閉鎖位置に向けて回動させたときに遊技板或いは回動係止部材を押すことによって、回動停止状態の回動係止部材を係止端位置側に回動させる扉側押圧部材が備えられているところに特徴を有する。ここで、本発明における「所定位置と係止端位置との間」とは「所定位置」を含む範囲を意味し、「所定位置より解除端位置側」とは「所定位置」を含まない範囲を意味する。
【０００９】
請求項４の発明は、請求項１乃至３の何れか１項に記載の遊技機において、回動係止部材が解除端位置に配置された状態では、開閉扉の閉鎖位置への移動が遊技板との干渉によって禁止され、回動係止部材が解除端位置に配置されかつ、遊技板を遊技板収容枠から離脱させた状態では、開閉扉の閉鎖位置への移動が許容されるように構成したところに特徴を有する。
【００１０】
請求項５の発明は、請求項１乃至４の何れか１項に記載の遊技機において、回動係止部材の回動に伴って弾性変形量が変わりかつ、その弾性変形量が回動係止部材の回動可能範囲の中間で最大になる付勢部材を設け、遊技板を遊技板収容枠から離脱させた状態で、任意の回動位置の回動係止部材を、付勢部材の弾発力によって回動係止部材の回動可能範囲の一端位置側か又は他端位置側に移動させるようにしたところに特徴を有する。
【００１１】
請求項６の発明は、請求項１乃至５の何れか１項に記載の遊技機において、回動係止部材は、係止端位置で遊技板の主平面に対向する係止突部と、係止突部との間で遊技板を板厚方向で挟む離脱補助突部と、係止突部と離脱補助突部との間を連絡しかつ回動軸が貫通した連絡部と、係止突部から開閉扉側に張り出した回動操作部とを備え、回動係止部材を係止端位置から解除端位置へと回動操作することで、離脱補助突部が遊技板を主平面と反対側から押して遊技板嵌合部から押し出すように構成したところに特徴を有する。
【００１２】
請求項７の発明は、請求項６に記載の遊技機において、遊技板嵌合部のうち開閉扉の回動中心に近い一側部に、遊技板の一側部を開閉扉側から抜け止めする固定抜止部を設け、遊技板の一側部を、遊技板嵌合部のうち固定抜止部の奥側に斜め側方から挿入した一側部嵌合状態にしてから、遊技板を回動して遊技板嵌合部に全体が嵌合した完全嵌合状態へと変更可能とし、回動係止部材を係止端位置から解除端位置へと回動操作することで、遊技板を完全嵌合状態から一側部嵌合状態へと変更可能としたところに特徴を有する。
【００１３】
請求項８の発明は、請求項７に記載の遊技機において、遊技板は、一側部嵌合状態になる位置から完全嵌合状態になる位置までの任意の位置で、遊技板嵌合部との摩擦力にて停止可能としたところに特徴を有する。
【００１４】
請求項９の発明は、請求項７又は８に記載の遊技機において、回動係止部材を遊技板嵌合部における下辺側の開口縁に配置して、一側部嵌合状態になった遊技板を回動係止部材にて支持可能としたところに特徴を有する。
【００１５】
請求項１０の発明は、請求項６乃至９の何れか１項に記載の遊技機において、回動係止部材は、遊技板の下縁部を板厚方向で挟持可能な１対の板挟持部を有したＵ字形状部を対にして左右方向に対向配置して備えると共に、各Ｕ字形状部のうち１対の板挟持部の下端部間を連絡する底辺部を貫通した回動中心シャフトによって回動可能に支持され、離脱補助突部は、遊技板より開閉扉から離れた側の板挟持部で構成され、回動操作部は、両方のＵ字形状部における開閉扉に近い側の板挟持部の上端部間を連絡すると共にＵ字形状部より開閉扉側に突出し、扉側押圧部材は、回動係止部材が係止端位置に配置されている状態で、回動操作部の下方に位置して、回動係止部材の解除端位置側への回動を規制するところに特徴を有する。
【００１６】
請求項１１の発明は、請求項１０に記載の遊技機において、回動係止部材は、板金を折り曲げてなり、回動操作部は、遊技板の主平面と直交しかつ板厚方向が上下方向を向いた突片構造をなし、各Ｕ字形状部は、板厚方向が左右方向を向きかつ遊技板より開閉扉側の板挟持部が、回動操作部のうち遊技板側の端部の両側縁から下方に直角曲げされた状態で連絡され、板金を溝形に折り曲げてなる溝形ベース部における１対の対向壁間に回動中心シャフトを差し渡し、溝形ベース部を遊技板収容枠のうち遊技板嵌合部の開口縁に固定したところに特徴を有する。
【００１７】
請求項１２の発明は、請求項１１に記載の遊技機において、遊技板嵌合部の開口縁に陥没形成した機構受容部の内側に溝形ベース部を固定し、溝形ベースの底部から垂直に起立した支柱と、支柱に対して上下動可能に嵌合されかつ溝形ベース部より開閉扉に張り出した可動板と、支柱に遊嵌して可動板と溝形ベースの底部との間で圧縮状態にして挟持されたコイルバネとを備え、回動中心シャフトを可動板より上側位置で１対の対向壁間に差し渡して、各Ｕ字形状部の底辺部に下方から可動板を押し付けると共に、各Ｕ字形状部の底辺部のうち可動板が当接する下縁部は、回動中心シャフトを中心とした円弧部と、円弧部と連続した平坦部と、円弧部と平坦部とが交差してなる角部とを有し、係止端位置で平坦部が可動板と当接し、解除端位置で円弧部が可動板と当接し、係止端位置から解除端位置に向かって回動する過程で角部が可動板と摺接しながら可動板を押し下げるように構成したところに特徴を有する。
【発明の効果】
【００１８】
［請求項１の発明］
上記のように構成した請求項１に係る発明によれば、回動係止部材が係止端位置と解除端位置との間に配置されている場合、開閉扉を閉鎖位置に向けて回動させたときに、扉側押圧部材が回動係止部材を押して係止端位置側に回動させることで、遊技板係止機構を係止状態にする。そして、遊技板係止機構が係止状態になると開閉扉を閉鎖位置にすることができる。つまり、回動係止部材が係止端位置からずれた位置であっても、開閉扉を閉鎖位置に移動させる過程で回動係止部材の位置を修正することができ、開閉扉を閉鎖位置にすることが可能になる。よって、回動係止部材を直接操作して係止端位置へと移動させる手間が省け、組み立て作業を従来よりも円滑に行うことができる。ここで、本発明の技術的範囲には、「扉側押圧部材が回動係止部材に当接して押す」構成のみならず、「扉側押圧部材が回動係止部材とは当接せずに間接的に回動係止部材を押す」構成も含まれる。即ち、扉側押圧部材が、遊技板等の回動係止部材とは異なる他の部材に当接して押すことで、前記他の部材を介して間接的に回動係止部材を係止端位置側に押すようにしてもよい。また、扉側押圧部材と当接する他の部材は、遊技板側に設けられていてもよいし、遊技板収容枠側に設けられていてもよい。
【００１９】
［請求項２の発明］
請求項２の発明によれば、係止端位置と解除端位置との間に連動係止境界位置が設定され、回動係止部材が連動係止境界位置と係止端位置との間に配置された状態で開閉扉を閉鎖位置に向けて回動させたときに、扉側押圧部材が回動係止部材を押して係止端位置側に回動させることで遊技板係止機構を係止状態にする。一方、回動係止部材が連動係止境界位置より解除端位置側に配置された状態で開閉扉を前記閉鎖位置に向けて回動させたときには、扉側押圧部材が回動係止部材を押しても回動係止部材が係止端位置側へ回動しない。
【００２０】
ここで、仮に、連動係止境界位置を設定しない場合、即ち、開閉扉を閉鎖位置に向けて回動させたときに、扉側押圧部材が回動係止部材を押すことで解除端位置から係止端位置まで回動するように構成する場合には、本発明における連動係止境界位置を「解除端位置」に設定すればよいが、この場合には、回動係止部材の回動可能範囲が、本発明の構成に比べて狭くなる。そのため、解除端位置にした回動係止部材が遊技板を着脱する際の障害になり、円滑な作業を妨げる虞がある。
【００２１】
これに対し、本発明では、係止端位置と解除端位置との間に連動係止境界位置を設定したので、上記したように連動係止境界位置を設定しなかった場合よりも、回動係止部材の回動可能範囲を広くすることができる。よって、回動係止部材を解除端位置にしておけば、遊技板の着脱の際に回動係止部材が障害にならず、遊技板の着脱を円滑に行うことができる。
【００２２】
［請求項３の発明］
上記のように構成した請求項３に係る発明によれば、回動係止部材が係止端位置と解除端位置との間の所定位置と係止端位置との間に配置されている場合、開閉扉を閉鎖位置に向けて回動させたときに扉側押圧部材が遊技板又は回動係止部材を押して係止端位置側に回動させる。つまり、回動係止部材が係止端位置からずれた位置であっても、そのずれが所定の範囲内であれば、開閉扉を閉鎖位置に移動させる過程で回動係止部材の位置を修正することができ、開閉扉を閉鎖位置にすることができる。よって、回動係止部材を直接操作して係止端位置へと移動させる手間が省け、組み立て作業を従来よりも円滑に行うことができる。
【００２３】
ここで、仮に、係止端位置と解除端位置との間に「所定位置」を設定しない場合、即ち、開閉扉を閉鎖位置に向けて回動させたときに、扉側押圧部材が遊技板又は回動係止部材を押して解除端位置から係止端位置まで回動するように構成する場合には、上記「所定位置」を「解除端位置」に設定すればよいが、この場合には、回動係止部材の回動可能範囲が、本発明の構成に比べて狭くなる。そのため、解除端位置にした回動係止部材が遊技板を着脱する際の障害になり、円滑な作業を妨げる虞がある。
【００２４】
これに対し、本発明では、係止端位置と解除端位置の間に「所定位置」を設定したので、上記したように「所定位置」を設定しなかった場合よりも、回動係止部材の回動可能範囲を広くすることができる。よって、回動係止部材を解除端位置にしておけば、遊技板の着脱の際に回動係止部材が障害にならず、遊技板の着脱を円滑に行うことができる。
【００２５】
［請求項４の発明］
請求項４の発明によれば、回動係止部材が解除端位置に配置された状態では、開閉扉の閉鎖位置への移動が遊技板との干渉によって禁止されるので、回動係止部材による抜け止めが不完全なまま開閉扉が閉鎖されることを防止することができる。これに対し、遊技板を遊技板収容枠から離脱させた状態であれば、回動係止部材の位置に関係なく開閉扉を閉鎖位置にすることができる。即ち、遊技板を遊技板収容枠から離脱させた状態で開閉扉を閉鎖位置にする場合に、回動係止部材を係止端位置に戻すという無駄な操作を省くことができる。
【００２６】
［請求項５の発明］
請求項５の発明によれば、遊技板を遊技板収容枠から離脱させた状態では、回動係止部材の自由な回動を制限し、回動可能範囲の一端位置か又は他端位置（係止端位置か又は解除端位置）のいずれかの位置で停止させることができる。
【００２７】
［請求項６の発明］
請求項６の発明によれば、回動係止部材を係止端位置から解除端位置へと回動操作することで、離脱補助突部が遊技板を主平面と反対側から押して遊技板嵌合部から押し出すので、遊技板嵌合部の内側からの遊技板の取り出しを容易に行うことが可能となる。
【００２８】
［請求項７の発明］
請求項７の発明によれば、遊技板を遊技板嵌合部に嵌め込む場合には、遊技板嵌合部のうち、開閉扉の回動中心に近い一側部に設けられた固定抜止部の奥側に遊技板の一側部を斜め側方から挿入して一側部嵌合状態にし、次いで、遊技板を一側部を中心にして回動させる。遊技板を回動させると、離脱補助突部が遊技板に押されて回動係止部材が係止端位置に移動する。即ち、遊技板を一側部嵌合状態から完全嵌合状態へと変化させることで、回動係止部材を係止端位置に回動させることができる。
【００２９】
また、遊技板を遊技板嵌合部から離脱させる場合には、回動係止部材を係止端位置から解除端位置へと回動操作する。すると、離脱補助突部が遊技板を遊技板嵌合部から押し出して、完全嵌合状態から一側部嵌合状態へと変化する。
【００３０】
［請求項８の発明］
請求項８の発明によれば、一側部嵌合状態とした後で遊技板から手を離した場合に、一側部嵌合状態のまま遊技板を遊技板収容枠に保持させることができる。
【００３１】
［請求項９の発明］
請求項９の発明によれば、一側部嵌合状態とした後で遊技板から手を離した場合に、一側部嵌合状態のまま遊技板を遊技板収容枠に保持させることができる。また、一側部嵌合状態の遊技板と回動係止部材とが係止することで、回動係止部材が係止端位置と解除端位置との間の中間位置で停止可能となる。
【００３２】
［請求項１０の発明］
請求項１０の発明によれば、開閉扉を閉鎖位置にしたままで回動係止部材を解除端位置に切り換えるという不正行為を防止することができる。また、例えば、遊技機が傾いて回動係止部材に遊技板から力がかかった場合にも、回動係止部材が解除端位置になることを防止することができる。
【００３３】
［請求項１１の発明］
請求項１１の発明によれば、回動係止部材は板金を折り曲げて形成したので、回動係止部材の強度を確保しつつ軽量化を図ることができる。
【００３４】
［請求項１２の発明］
請求項１２の発明によれば、可動板と溝形ベース部の底部との間で圧縮されたコイルバネの弾発力で、可動板が回動係止部材に下方から押し付けられる。そして、回動係止部材の回動に伴い、可動板に対する回動係止部材の接触位置が変化することで可動板がコイルバネの弾発力に抗して上下動する。具体的には、係止端位置では平坦部が可動板と当接する。このとき、可動板は最も押し上げられコイルバネの弾発力も最小となる。係止端位置から解除端位置に向けて回動する過程、即ち、角部が可動板に突き当てられかつ可動板と摺接する過程で、可動板が押し下げられ、コイルバネの弾発力が徐々に増大する。そして、可動板との接触部位が角部から円弧部に切り替わると可動板が最も下方に押し下げられて、コイルバネの弾発力が最大になる。以下、解除端位置になるまで円弧部が可動板と摺接し、コイルバネの弾発力は最大に維持される。
【００３５】
ここで、回動係止部材を解除端位置から係止端位置に切り換える場合には、可動板を下方に押し下げることがないので、比較的小さい操作力で係止端位置に切り換えることができる。これに対し、係止端位置から解除端位置に切り換える場合には、可動板をコイルバネの弾発力に抗して押し下げる必要があるので、比較的大きな操作力が必要になる。即ち、解除端位置から係止端位置への切り替えを容易としつつ、係止端位置から解除端位置への切り替えが意図せず起きないようにすることができる。
【図面の簡単な説明】
【００３６】
【図１】本発明の一実施形態に係るパチンコ遊技機の正面図
【図２】パチンコ遊技機の斜視図
【図３】パチンコ遊技機の背面図
【図４】パチンコ遊技機を前斜め上方から見た分解斜視図
【図５】パチンコ遊技機を後斜め上方から見た分解斜視図
【図６】ガラス扉を開放したパチンコ遊技機の正面図
【図７】（Ａ）補強フレームの斜視図、（Ｂ）扉側押圧部材の斜視図
【図８】遊技板及びガラス扉を離脱させた内枠及び外枠の斜視図
【図９】遊技板及びガラス扉を離脱させた内枠及び外枠の正面図
【図１０】下部係止機構の斜視図
【図１１】下部係止機構の（Ａ）斜視図、（Ｂ）分解斜視図
【図１２】係止端位置における下部係止機構の（Ａ）側面図、（Ｂ）斜視図
【図１３】解除端位置における下部係止機構の（Ａ）側面図、（Ｂ）斜視図
【図１４】（Ａ）一側部嵌合状態における遊技板及び内枠の平断面図、（Ｂ）完全嵌合状態における遊技板及び内枠の平断面図、
【図１５】可倒式係止レバーを係止端位置にしたときの内枠の側断面図
【図１６】可倒式係止レバーを解除端位置にしたときの内枠の側断面図
【図１７】係止端位置の可倒式係止レバーと扉側押圧部材との位置関係を示す側面図
【図１８】解除端位置の可倒式係止レバーと扉側押圧部材との位置関係を示す側面図
【図１９】一側部嵌合状態かつ解除端位置でガラス扉を閉鎖したときの側面図
【図２０】（Ａ）扉側押圧部材と当接して係止端位置に移動する場合の可倒式係止レバーの側面図、（Ｂ）扉側押圧部材と当接して解除端位置に移動する場合の可倒式係止レバーの側面図
【図２１】変形例に係る可倒式係止レバーと扉側押圧部材との位置関係を示す側面図
【発明を実施するための形態】
【００３７】
以下、本発明を適用したパチンコ遊技機１０に係る一実施形態を、図１〜図２０に基づいて説明する。本実施形態のパチンコ遊技機１０は、図４に示すように、一般のものと同様に、遊技場の遊技島に固定される外枠８２に遊技機本体９０が着脱可能に取り付けられている。
【００３８】
外枠８２は、４つの長板８３を縦長矩形状に接合して構成されており、外枠８２のうち両側辺を構成する長板８３の下端部の間には、補強及び歪み防止用の前面板８４が差し渡され、その前面板８４の下縁部が、下辺を構成する長板８３に接合されている。
【００３９】
外枠８２のうち一方の側辺、具体的には、パチンコ遊技機１０の正面視左側の側辺には、上下両端位置にヒンジ部８５，８５が設けられている。また、外枠８２のうちヒンジ部８５と反対側の側辺（具体的には、右側辺）を構成する長板８３には、上下一対の係止片８６，８６が取り付けられている（図５参照）。なお、外枠８２のうちヒンジ部８５，８５を備えた左側辺の外側面には、図示しないプリペイドカードユニットが取り付けられている。
【００４０】
遊技機本体９０は、図４に示した遊技板１１に種々の部品を組み付けてなる遊技板側アッシと、同図に示した内枠７５（本発明の「遊技板収容枠」に相当する）に種々の部品を組み付けてなる内枠側アッシとの２つのアッシを組み付けてなる。
【００４１】
まずは、遊技板側アッシを構成する各部品に関して説明すると、遊技板１１は、木製の略矩形板材で構成されている。遊技板１１の前面（本発明の「主平面」に相当する）には、図１に示すように、ガイドレール１２が取り付けられ、ガイドレール１２の内側が、遊技領域Ｒ１となっている。遊技領域Ｒ１のほぼ中央部には、表示装置１３が設けられ、表示装置１３の下方には、上始動入賞口１４Ａ、下始動入賞口１４Ｂ、大入賞口１５及びアウト口１６が、上から順に間隔を開けて並べて設けられている。遊技領域Ｒ１のうち、表示装置１３の左側方には始動ゲート１８と風車１７とが備えられ、始動入賞口１４Ａ，１４Ｂの左右両側には、一般入賞口２０、２１がガイドレール１２に沿って設けられている。さらに、これら入賞口以外に、遊技領域Ｒ１には図示しない複数の釘が起立している。
【００４２】
遊技板１１の前面の各部位についてさらに詳説する。表示装置１３は、液晶モジュール（詳細には、ＴＦＴ−ＬＣＤモジュール）で構成され、遊技板１１の中央部に貫通形成された表示取付孔（図示せず）に対し、遊技板１１の後面側から取り付けられている。また表示取付孔には、遊技板１１の前面側から枠形構造の装飾枠２３（図１を参照）が取り付けられ、その装飾枠２３によって表示装置１３の周囲が囲まれている。
【００４３】
始動ゲート１８は、遊技球が潜って通過可能な門形構造をなし、通過した遊技球は、その始動ゲート１８に内蔵したゲートスイッチ（図示せず）によって検出される。この検出信号に基づいて、普通図柄表示部３８において普通図柄が変動表示される。
【００４４】
普通図柄表示部３８は、風車１７の下方に設けられている。普通図柄表示部３８は、普通図柄としての２桁の数字を表示可能な７セグメントＬＥＤ表示器で構成されている。
【００４５】
普通図柄表示部３８は、始動ゲート１８を遊技球が通過すると、２桁の数字（普通図柄）を所定期間に亘って変動表示した後、停止表示する。例えば、停止表示された２桁の数字が同じ（ゾロ目）の場合には、次述する下始動入賞口１４Ｂが開放状態になって、遊技球が入賞し易い状態になる。また、普通図柄表示部３８が変動表示している間に始動ゲート１８を通過した遊技球は、所定数（例えば、４つ）まで累積カウント（所謂「保留」）される。なお、保留数は、遊技領域Ｒ１に備えた保留数用のＬＥＤの点灯数によって遊技者に報知される。
【００４６】
上下の各始動入賞口１４Ａ，１４Ｂは、所謂、ポケット構造をなして上方に向かって開口している。各始動入賞口１４Ａ，１４Ｂに入った遊技球は、遊技板１１に設けた図示しない貫通孔を通って、遊技板１１の裏側に回収される。
【００４７】
上側に配置された上始動入賞口１４Ａの上面開口は遊技球を１つずつ受け入れる大きさになっている。一方、下側に配置された下始動入賞口１４Ｂは、上始動入賞口１４Ａの真下に配置されており、その上面開口の左右両側には可動翼１４Ｃ，１４Ｃが備えられている。これら両可動翼１４Ｃ，１４Ｃは、常には起立状態になっており、両可動翼１４Ｃ，１４Ｃに挟まれた下始動入賞口１４Ｂの開口幅も、遊技球を１つずつ受け入れる大きさになっている。また、下始動入賞口１４Ｂの上方空間は、常には、上始動入賞口１４Ａを構成する部材と起立状態の可動翼１４Ｃ，１４Ｃとで囲まれて、遊技球が入らないようになっている。
【００４８】
これに対し、普通図柄表示部３８の２桁の数字がゾロ目で停止表示して開放条件が成立すると、下始動入賞口１４Ｂが開放状態となる。即ち、遊技板１１の裏に設けたソレノイド（図示せず）により、下始動入賞口１４Ｂに備えた可動翼１４Ｃ，１４Ｃが所定期間（例えば、０．５秒間）に亘って左右に倒される。可動翼１４Ｃ，１４Ｃが左右に倒れると、その倒れた可動翼１４Ｃ，１４Ｃに案内されて遊技球が下始動入賞口１４Ｂに入賞可能となる。
【００４９】
上下の始動入賞口１４Ａ，１４Ｂの何れかに遊技球が入賞すると、各始動入賞口１４Ａ，１４Ｂ内に設けたセンサがその遊技球を検出し、その検出信号に基づいて、所定数の賞球が上皿２７Ａに払い出される。また、各始動入賞口１４Ａ，１４Ｂに遊技球が入賞すると、「大当たり遊技」を行うか否かを決定する当否判定の権利が発生し、その当否判定結果が表示装置１３によって遊技者に報知される。
【００５０】
具体的には、表示装置１３には、通常、３つの左、中、右の特別図柄１３Ａ，１３Ｂ，１３Ｃが横並びに表示されている。これら各特別図柄は、例えば、「０」〜「９」の数字を表記した複数種類のもので構成されており、通常は、各特別図柄１３Ａ，１３Ｂ，１３Ｃごと、所定の種類のものが停止表示されている。そして、両始動入賞口１４Ａ，１４Ｂの何れかに遊技球が入賞したときに、これら３つの特別図柄１３Ａ，１３Ｂ，１３Ｃが、変動表示（上下方向にスクロール表示）され、所定時間後に、例えば、左、中、右の順で各特別図柄１３Ａ，１３Ｂ，１３Ｃが停止表示される。このとき、例えば、全ての特別図柄１３Ａ，１３Ｂ，１３Ｃが同じ図柄、即ち、ゾロ目になった場合に、遊技が「通常遊技」から「大当たり遊技」に移行する。また、最後に停止される特別図柄だけを残して、残りの二つの特別図柄が同一の図柄で停止した場合に、遊技が「リーチ状態」になる。
【００５１】
ここで、表示装置１３にて特別図柄１３Ａ，１３Ｂ，１３Ｃが変動表示している最中又は「大当たり遊技」の最中に各始動入賞口１４Ａ，１４Ｂに入賞した遊技球の数は、所定の限度数まで累積カウント（所謂「保留」）され、特別図柄１３Ａ，１３Ｂ，１３Ｃが外れの図柄組み合わせで停止表示又は「大当たり遊技」が終了すると、その保留記憶に基づいて再び、特別図柄１３Ａ，１３Ｂ，１３Ｃの変動表示が開始される。なお、保留数は、遊技領域Ｒ１に備えた保留数用のＬＥＤの点灯数によって遊技者に報知される。
【００５２】
大入賞口１５は、遊技板１１の前面に開放して横長形状をなしており、常には、可動扉１５Ｔにて閉塞されている。そして、上記したように特別図柄がゾロ目で停止表示した場合に、可動扉１５Ｔが前側に倒れて大入賞口１５が開放し、可動扉１５Ｔをガイドにして大入賞口１５に遊技球が入賞可能になる。
【００５３】
ここで、可動扉１５Ｔが開放してから閉じるまでの間を「ラウンド」と称すると、１つのラウンドは、可動扉１５Ｔの開放時間が３０秒に達したか、又は、大入賞口１５に遊技球が１０個入賞したか、の何れかの終了条件が先に満たされた場合に終了する。また、「大当たり遊技」は、最大で、例えば１５ラウンドまで継続される。
【００５４】
大入賞口１５の内部には、図示しないが継続入賞口と計数入賞口とが設けられている。可動扉１５Ｔが開いたときには、継続入賞口は開放しており、継続入賞口に入賞すると継続入賞口が閉鎖される一方、計数入賞口は開放されたままとなる。継続入賞口内に設けた特定領域センサ（図示せず）が遊技球の入賞を検出すると、前述した終了条件を満たしてラウンドが終了した後で、連続して次のラウンドが実行される。また、計数入賞口内に設けたカウントセンサ（図示せず）が遊技球の入賞を検出すると、継続入賞口への入賞球と合わせて、大入賞口１５への入賞球がカウントされ、これらが前記したように計１０個に達したか否かがチェックされる。なお、大入賞口１５に遊技球が入賞すると、他の入賞口１４Ａ，１４Ｂ，２０，２１への入賞時より多い所定数の遊技球が、上皿２７Ａに払い出される。以上が、遊技板１１の前面側に関する構成である。
【００５５】
図５に示すように、遊技板１１の後面には裏機構盤５２が取り付けられている。裏機構盤５２は、各入賞口１４Ａ，１４Ｂ，１５，２０，２１及びアウト口１６に入球した遊技球を遊技場に回収するための球通路（図示せず）を備えている。また、裏機構盤５２の後面に重ねて表示制御基板５１、ランプ・音声制御基板５０及び主制御基板４９が取り付けられている。なお、前記各制御基板４９〜５１は、それぞれ透明な樹脂ケースに収容されている。
【００５６】
以上が、遊技板側アッシを構成する各部品の説明である。次いで、内枠側アッシについて説明すると、内枠７５は、外枠８２の前面のうち前面板８４より上方部分に対応した矩形構造をなしている（図９参照）。
【００５７】
図８に示すように、内枠７５のうち、パチンコ遊技機１０の正面視左側の側辺には、上下１対のヒンジ部７６，７６が備えられている。このヒンジ部７６，７６と外枠８２のヒンジ部８５，８５とが連結して、内枠７５が外枠８２の左側縁部を中心にして回動可能となっている。なお、内枠７５のうちヒンジ部７６，７６とは反対側の右側辺には、外枠係止具（図示せず）が備えられており、その外枠係止具が外枠８２に備えた係止片８６，８６（図５参照）と係止することで、内枠７５を外枠８２の内側に嵌め込んだ状態でロックすることができる。
【００５８】
また、内枠７５の前面のうちヒンジ部７６，７６とは反対側の右側辺には、後述するガラス扉９５と係止する扉係止具７４，７４が設けられている（図８参照）。
【００５９】
図８及び図９に示すように、内枠７５の中央部には、遊技板１１を嵌め込むための遊技板嵌合部７７が設けられている。遊技板嵌合部７７は、遊技板１１の形状に対応して略矩形状となっており、内枠７５を前後方向に貫通している。遊技板嵌合部７７のうち、内枠７５の後面側の開口縁からは抜止壁７７Ａが内側に張り出している。この抜止壁７７Ａにより、内枠７５の後面側への遊技板１１の抜け止めが図られている。そして、遊技板１１は、遊技板嵌合部７７のうち内枠７５の前面側（図９における紙面手前側）の開口から着脱可能となっている。
【００６０】
抜止壁７７Ａの所定位置には位置決突部７７Ｂが一体形成されている。位置決突部７７Ｂは、抜止壁７７Ａから遊技板嵌合部７７の前面開口に向かって突出しており、先細りの円柱形状をなしている。遊技板嵌合部７７の内側に遊技板１１を嵌め込むと、遊技板１１の後面の所定位置に形成された位置決孔１１Ａ（図１５参照）に位置決突部７７Ｂが突入嵌合して、遊技板嵌合部７７内における遊技板１１の上下左右の移動が規制される。
【００６１】
また、遊技板嵌合部７７の内側に遊技板１１を嵌め込むと、遊技板１１の後面に固定された裏機構盤５２及び各制御基板４９〜５１（図５参照）が、内枠７５の後面側に突出する。これに対応して、内枠７５の後面には、裏機構盤５２の一部とランプ・音声制御基板５０及び表示制御基板５１を収容する樹脂製の裏カバー７０が取り付けられている（図５参照）。
【００６２】
図３に示すように、内枠７５の後面のうち裏カバー７０より下方には、払出制御基板５８と電源基板５４とが重ね合わされた状態で取り付けられている。払出制御基板５８は、主制御基板４９から受けた信号に基づき、球払出装置５５を駆動して、所定数の遊技球を後述の上皿２７Ａ（図１及び図４を参照）に払い出させる。払出制御基板５８と電源基板５４も、個々に透明な樹脂ケースに収容されている。
【００６３】
内枠７５の後面の上端部には遊技球タンク７１が設けられている。遊技球タンク７１は裏カバー７０に一体形成されており、遊技球タンク７１と球払出装置５５との間は、裏カバー７０に一体に設けられた球搬送路（図示せず）により連絡されている。
【００６４】
図４〜図６に示すように、内枠７５の前面には、本発明の「開閉扉」に相当するガラス扉９５が回動可能に取り付けられている。ガラス扉９５のうち、パチンコ遊技機１０の正面視左側の側辺における上下両端部にはヒンジ部９９，９９が備えられており、それらヒンジ部９９，９９が、内枠７５の上端位置に備えたヒンジ部７６と遊技板嵌合部７７の下端位置に備えたヒンジ部７９（図８参照）とにそれぞれ連結している。これにより、ガラス扉９５が、内枠７５の左側縁部に連結され、内枠７５及び遊技板１１の前面に重ね合わされた閉鎖位置（図１及び図２に示す状態）と、内枠７５の前面を開放した開放位置（図６に示す状態）との間で回動可能となっている。
【００６５】
図６に示すように、ガラス扉９５の中央部には、遊技板１１の遊技領域Ｒ１に対応した窓９５Ｗが貫通形成されており、その窓９５Ｗが透明なガラス板９６にて塞がれている。そして、遊技者は、図１に示すように、パチンコ遊技機１０の前面側からガラス板９６を通して遊技板１１の前面に設けられた遊技領域Ｒ１を視認可能となっている。
【００６６】
図６及び図７に示すようにガラス扉９５の後面、即ち、閉鎖位置における内枠７５との対向面には、複数の金属補強板９４が敷設されている。これら金属補強板９４は、窓９５Ｗを囲むようにガラス扉９５の四辺に沿って延びており、このうち、ヒンジ部９９，９９とは反対側の右側辺に沿って延びた金属補強板９４には、上下１対の係止片９４Ａ，９４Ａが形成されている。その係止片９４Ａ，９４Ａが内枠７５に備えた扉係止具７４，７４（図８参照）と係止することで、ガラス扉９５が内枠７５に対して閉鎖位置にロックされる。
【００６７】
内枠７５の前面には鍵孔７２が設けられており、例えば、鍵孔７２に鍵を挿して左に回動操作すると、内枠７５に備えた扉係止具７４，７４が作動し、ガラス扉９５と内枠７５との間のロックが解除されてガラス扉９５が内枠７５に対して回動可能となる。また、鍵を右に回動操作すると、内枠７５に備えた外枠係止具（図示せず）が作動し、内枠７５と外枠８２との間のロックが解除されて、内枠７５が外枠８２に対して回動可能となる。
【００６８】
図２に示すように、ガラス扉９５の前面のうち、窓９５Ｗの上部及び両側部には装飾ランプ９７が設けられており、上端両角部にはスピーカ９８，９８が設けられている。また、ガラス扉９５のうち窓９５Ｗの下方には上皿２７Ａが設けられている。上皿２７Ａはパチンコ遊技機１０の前方に膨出しており、賞球として球払出装置５５（図５参照）から払い出された遊技球を収容する。
【００６９】
内枠７５の前面のうち、ガラス扉９５の下方には下皿２７Ｂが設けられ、パチンコ遊技機１０の正面視右側の端部には、操作ノブ２８が設けられている。操作ノブ２８を操作することで、上皿２７Ａに収容された遊技球が遊技板１１上に向けて弾き出され、遊技の進行状況に応じて、装飾ランプ９７及びスピーカ９８が駆動される。
【００７０】
なお、上皿２７Ａに備えた球移動ボタン２９を押すと、内枠７５に備えた球通路を通って上皿２７Ａから下皿２７Ｂに遊技球が移動する。また、上皿２７Ａには、球移動ボタン２９の他に、遊技に使用するための遊技ボタン３０，３１が備えられている（図２参照）。
【００７１】
図７に示すように、ガラス扉９５の後面に敷設された金属補強板９４のうち、ガラス扉９５の下辺に沿って延びた金属補強板９４は、ガラス扉９５の後面から内枠７５に向かって張り出している。この金属補強板９４は、ガラス扉９５が閉鎖位置になった状態で、ガラス扉９５と内枠７５との間の隙間を塞ぐ。そして、例えば、上皿２７Ａや下皿２７Ｂの球出入口から不正に針金が挿し込まれた場合に、その針金が遊技領域Ｒ１に侵入することを金属補強板９４によって防止することが可能となっている。
【００７２】
さて、内枠７５は、以下に説明する抜け止め構造を備え、内枠７５の前面側への遊技板１１の抜け止めが図られている。
【００７３】
図９に示すように、遊技板嵌合部７７のうち、ガラス扉９５の回動中心に近い左側辺には、１対の固定抜止部１３０，１３０が設けられている。固定抜止部１３０，１３０は遊技板嵌合部７７の上辺寄り位置と下辺寄り位置とに配設され、遊技板嵌合部７７の内側領域に向かって突出している。遊技板嵌合部７７の内側に遊技板１１が嵌め込まれた場合、遊技板１１の前面に固定抜止部１３０，１３０が対向配置され、遊技板１１が固定抜止部１３０，１３０と抜止壁７７Ａとの間で挟まれる（図１４参照）。
【００７４】
内枠７５の前面における右上角部には、上部係止部材１２０が備えられている。上部係止部材１２０は、内枠７５の前面に直交した軸部１２３によって係止板１２１を回動可能に軸支した構成となっている。上部係止部材１２０は、回動可能範囲の一端位置（図９に示す位置）で、係止板１２１が遊技板嵌合部７７の開口縁から内側に張り出して遊技板１１の前面と係止する一方、回動可能範囲の他端位置で係止板１２１が遊技板嵌合部７７の外側に退避して遊技板１１との係止状態を解除する。
【００７５】
遊技板嵌合部７７における下辺側の開口縁には、本発明に係る遊技板係止機構１００が設けられている。図１０に示すように、遊技板係止機構１００は、遊技板嵌合部７７の下辺の右端寄り部分を陥没させた機構受容部７３に受容されている。
【００７６】
図１１に示すように、遊技板係止機構１００は、機構受容部７３の内側に固定されたブラケット１０１に、複数の金属部品を組み付けて構成されている。ブラケット１０１は本発明の「溝形ベース部」に相当し、板金を溝形に折り曲げて形成されている。具体的には、パチンコ遊技機１０の左右方向で対向した１対の対向壁１０１Ａ，１０１Ａと、それら対向壁１０１Ａ，１０１Ａの下端部同士を連結した底壁１０１Ｂと、対向壁１０１Ａ，１０１Ａ及び底壁１０１Ｂに対してそれぞれ直角に折れ曲がった取付鍔壁１０１Ｃ，１０１Ｃ，１０１Ｃとを備えている。そして、各取付鍔壁１０１Ｃを貫通したビス（図示せず）によって機構受容部７３の内側に固定されている。
【００７７】
ブラケット１０１のうち底壁１０１Ｂの中心部からは支柱１０２が起立している。支柱１０２は、対向壁１０１Ａ，１０１Ａと平行に延びた円柱形状をなし、対向壁１０１Ａ，１０１Ａの上端縁とほぼ同じ高さになっている。
【００７８】
支柱１０２の外側には、コイルバネ１０３（本発明の「付勢部材」に相当する）が遊嵌されている。また、支柱１０２にはロック板１０４（本発明の「可動板」に相当する）が上下動可能に嵌合されている。ロック板１０４は、弾性を有する長方形の板金で構成され、長手方向の一端寄り部分に支柱１０２と略同径の円孔１０４Ａが貫通形成されている。その円孔１０４Ａを支柱１０２が貫通すると共に、ロック板１０４と底壁１０１Ｂとの間にコイルバネ１０３が圧縮状態で挟まれている。換言すれば、コイルバネ１０３がロック板１０４を常時上向きに付勢している。なお、ロック板１０４は、ブラケット１０１よりもガラス扉９５側に突出している（図１１（Ａ）参照）。
【００７９】
ロック板１０４の上には、本発明の「回動係止部材」に相当する可倒式係止レバー１１０が備えられている。可倒式係止レバー１１０は所定の形状に打ち抜いた板金を折り曲げて形成されている。具体的には、可倒式係止レバー１１０は、板厚方向で対向配置された同一形状の１対のＵ字形状部１１１，１１１と、それらＵ字形状部１１１，１１１同士を連結した回動操作部１１５とを有している。各Ｕ字形状部１１１，１１１は、遊技板嵌合部７７に嵌め込まれた遊技板１１の下縁部を、板厚方向で挟持可能な１対の板挟持部１１２，１１３と、それら１対の板挟持部１１２，１１３の下端部間を連絡した連絡部１１４とを有している。以下、遊技板１１を板厚方向で挟持したときに遊技板１１の前面に対向する板挟持部１１２を「係止突部１１２」といい、遊技板１１の後面に対向する板挟持部１１３を「離脱補助突部１１３」という。なお、連絡部１１４は、本発明の「底辺部」に相当する。
【００８０】
各Ｕ字形状部１１１，１１１のうち、係止突部１１２，１１２の上端部同士は板厚方向が上下方向を向いた突片構造の回動操作部１１５にて連結されている。即ち、各Ｕ字形状部１１１，１１１は、板厚方向がパチンコ遊技機１０の左右方向を向きかつ係止突部１１２，１１２が回動操作部１１５の後端部側の両側縁から下方に直角曲げされた状態で連絡されている。また、回動操作部１１５は、係止突部１１２，１１２よりもガラス扉９５側に張り出している。
【００８１】
可倒式係止レバー１１０は、押圧片１１６を備えている。押圧片１１６は、回動操作部１１５のうちガラス扉９５から離れた後端縁から下方に直角に折れ曲がっており、係止突部１１２，１１２と平行に延びている。
【００８２】
可倒式係止レバー１１０は、ブラケット１０１に対して回動可能に軸支されている。具体的には、ブラケット１０１における１対の対向壁１０１Ａ，１０１Ａと、支柱１０２と、可倒式係止レバー１１０における各連絡部１１４，１１４とには、パチンコ遊技機１０の左右方向に貫通した軸挿通孔が形成されており、ブラケット１０１の両対向壁１０１Ａ，１０１Ａの間に可倒式係止レバー１１０の各連絡部１１４，１１４を挟んだ状態で、各軸挿通孔に回動中心シャフト１０５が挿通されている（図１１（Ｂ）参照）。これにより、可倒式係止レバー１１０は、水平かつ遊技板嵌合部７７の下辺側の開口縁と平行な回動軸回りで回動可能となっている。換言すれば、可倒式係止レバー１１０は、パチンコ遊技機１０の前後方向に回動可能となっている。
【００８３】
可倒式係止レバー１１０は、コイルバネ１０３の弾発力で下方から押し付けられたロック板１０４により回動可能な範囲が制限されており、その回動可能範囲内で往復回動可能となっている。そして、回動可能範囲の一端位置、具体的には、図１２（Ａ）及び同図（Ｂ）に示す回動可能範囲の後端位置（以下、「係止端位置」という）とその近傍位置で、遊技板１１を遊技板嵌合部７７に抜け止めし（図１５参照）、回動可能範囲の他端位置、具体的には、図１３（Ａ）及び同図（Ｂ）に示す回動可能範囲の前端位置（以下、「解除端位置」という）とその近傍位置で、遊技板１１の抜け止めを解除して遊技板嵌合部７７に着脱可能とする（図１６参照）。遊技板係止機構１００は、可倒式係止レバー１１０が係止端位置に位置するとき「係止状態」であり、可倒式係止レバー１１０が解除端位置に位置するとき「係止解除状態」である。ここで、回動操作片１１５の先端部は、係止端位置から解除端位置に向かうに従って、前方（ガラス扉９５側）に移動する。
【００８４】
詳細には、図１５に示す係止端位置では、可倒式係止レバー１１０の係止突部１１２，１１２が機構受容部７３の上面開口から突出する。即ち、係止突部１１２，１１２が遊技板嵌合部７７の下辺から上方に突出して、押圧片１１６が遊技板嵌合部７７に嵌め込まれた遊技板１１の前面と係止する。一方、図１６に示す解除端位置では、係止突部１１２，１１２がガラス扉９５側に前傾した状態になり、係止突部１１２，１１２及び押圧片１１６が機構受容部７３の上面開口より低い位置に倒れ込む。これにより、遊技板嵌合部７７における内枠７５の前面側の開口から遊技板１１を着脱することが可能となる。
【００８５】
離脱補助突部１１３は、連絡部１１４から離れた上端部に湾曲摺接部１１３Ａを備えている。湾曲摺接部１１３Ａは、回動中心シャフト１０５から離れるに従って係止突部１１２から離れるように（後方に向かって）湾曲している。
【００８６】
また、図１０に示すように、抜止壁７７Ａには、離脱補助突部１１３，１１３が通過可能なスリット７７Ｓ，７７Ｓが貫通形成されており、離脱補助突部１１３，１１３は、図１５に示す係止端位置で抜止壁７７Ａの後側に退避し、図１６に示す解除端位置で抜止壁７７Ａの前面側に突出する。
【００８７】
可倒式係止レバー１１０が係止端位置と解除端位置との間で回動すると、これに伴ってロック板１０４が上下動する。具体的には、可倒式係止レバー１１０のうち連絡部１１４の下縁部は、可倒式係止レバー１１０の回動軸（回動中心シャフト１０５）を中心とした円弧部１１４Ａと、円弧部１１４Ａと連続した平坦部１１４Ｂと、円弧部１１４Ａと平坦部１１４Ｂとが交差してなる角部１１４Ｃとを備えている。また、可倒式係止レバー１１０の回動軸から平坦部１１４Ｂに延ばした垂線の長さよりも、円弧部１１４Ａの半径の方が長くなっている。
【００８８】
図１２（Ａ）に示すように、係止端位置では平坦部１１４Ｂがロック板１０４の上面と当接し、コイルバネ１０３の弾発力によって可倒式係止レバー１１０が係止端位置に維持される。また、図１３（Ａ）に示すように、解除端位置では、円弧部１１４Ａがロック板１０４の上面と当接し、コイルバネ１０３の弾発力によって可倒式係止レバー１１０が解除端位置に維持される。
【００８９】
可倒式係止レバー１１０が係止端位置から解除端位置に向かって回動した場合、ロック板１０４と当接する部位が平坦部１１４Ｂ、角部１１４Ｃ、円弧部１１４Ａの順番で変化する。そして、ロック板１０４と当接する部位が、平坦部１１４Ｂから円弧部１１４Ａに切り替わる間、即ち、ロック板１０４に角部１１４Ｃが摺接している間に、ロック板１０４が徐々に押し下げられる。
【００９０】
詳細には、ロック板１０４に平坦部１１４Ｂが当接しているとき、ロック板１０４は最も高い位置に押し上げられ、コイルバネ１０３の弾性変形量は最小になる。解除端位置に移動する途中であって、ロック板１０４の上面に角部１１４Ｃが摺接しているとき、ロック板１０４が徐々に押し下げられ、コイルバネ１０３の弾性変形量が増大する。そして、ロック板１０４に円弧部１１４Ａが摺接するとき、ロック板１０４が最も押し下げられて、コイルバネ１０３の弾性変形量が最大になる。即ち、係止端位置から回動可能範囲の中間位置に向かうに従ってコイルバネ１０３の弾性変形量が増加し、回動可能範囲の中間位置から解除端位置までの間でコイルバネ１０３の弾性変形量が最大に維持される。
【００９１】
ここで、図８に示すように、遊技板嵌合部７７から遊技板１１を離脱させた状態で、可倒式係止レバー１１０を角部１１４Ｃとロック板１０４とが当接した状態にして手を離すと、可倒式係止レバー１１０はその位置を維持しきれずに、コイルバネ１０３の弾発力によって自動的に係止端位置に移動する。また、可倒式係止レバー１１０を解除端位置より係止端位置側で円弧部１１４Ａとロック板１０４とが当接した状態にして手を離した場合、可倒式係止レバー１１０は回動せず、そのままの位置（係止端位置と解除端位置の中間位置）で停止する。なお、可倒式係止レバー１１０を任意の回動位置にして手を離した場合、可倒式係止レバー１１０が係止端位置か又は解除端位置の何れか一方に必ず移動するように構成してもよい。
【００９２】
可倒式係止レバー１１０を解除端位置から係止端位置に切り換える際には、ロック板１０４を押し下げることがないので、比較的小さい操作力で切り替えを行うことができる。これに対し、係止端位置から解除端位置に切り換える際には、コイルバネ１０３の弾発力に抗してロック板１０４を押し下げる必要があるので、比較的大きな操作力が必要になる。即ち、解除端位置から係止端位置への切り替えを容易としつつ、係止端位置から解除端位置への切り替えが意図せず起きないように構成されている。
【００９３】
ガラス扉９５の後面のうち、ガラス扉９５を閉鎖位置にしたときに遊技板係止機構１００と対向する部分には、板金を折り曲げて形成された扉側押圧部材９３が固定されている。図７（Ａ）に示すように、扉側押圧部材９３は、ガラス扉９５の下辺に沿って設けられた金属補強板９４に一体に設けられている。図７（Ｂ）に示すように、扉側押圧部材９３は、金属補強板に宛がわれた固定壁９３Ｅと、固定壁９４Ｅの上端部で直角に折れ曲がってガラス扉９５から内枠７５の前面に向かって突出した水平突出壁９３Ａと、水平突出壁９３Ａの先端部から直角に起立した先端起立壁９３Ｂと、水平突出壁９３Ａの左右方向の一側辺から直角に起立した側部起立壁９３Ｃとを有している。
【００９４】
より詳細には、水平突出壁９３Ａは、パチンコ遊技機１０の前後方向に対して左右方向が長い横長形状をなしている。先端起立壁９３Ｂは、水平突出壁９３Ａの長手方向の一側部、具体的には、ガラス扉９５を裏面側から見た場合の右側に偏在しており、左右方向に対して上下方向が短い横長形状をなしている。先端起立壁９３Ｂの左右方向の幅は、可倒式係止レバー１１０における回動操作部１１５の左右方向の幅よりも大きくなっている。これにより、先端起立壁９３Ｂを可倒式係止レバー１１０に当接させ易くすることができる。また、側部起立壁９３Ｃは、水平突出壁９３Ａのうち、ガラス扉９５を裏面側から見た場合の右側の側辺から起立し、上下方向で先端起立壁９３Ｂよりも大きくなっている。なお、先端起立壁９３Ｂの高さ（上下方向の長さ）及び水平突出壁９３Ａの突出量は、ガラス扉９５の閉鎖方向への移動を、扉側押圧部材９３を遊技板１１と当接させて禁止するか又は、可倒式係止レバー１１０と当接させて禁止するか、さらには、遊技板１１を取り付けていない状態で、扉側押圧部材９３と当接させて禁止するか等の所望する状況に応じて適宜設定される。
【００９５】
本実施形態のパチンコ遊技機１０の構成は以上であって、次に、本実施形態の動作について説明する。遊技板１１を内枠７５に取り付ける場合には、まず、ガラス扉９５を開放状態にする。次いで、上部係止部材１２０を係止解除位置にすると共に、遊技板係止機構１００を係止解除状態、詳細には、可倒式係止レバー１１０を手前側に倒して解除端位置にする。
【００９６】
次いで、図１４（Ａ）から同図（Ｂ）への変化に示すように、遊技板１１の左側辺を、固定抜止部１３０，１３０と抜止壁７７Ａとの間の隙間に斜め側方から挿入して一側部嵌合状態（図１４（Ａ）に示す状態）にしてから、遊技板１１の左側辺を中心軸にして遊技板１１の右側辺を遊技板嵌合部７７に近づけるように回動させる。このとき、可倒式係止レバー１１０は、図１６に示すように解除端位置になっているので、遊技板１１と係止突部１１２，１１２とが干渉することはなく、遊技板１１の右側辺を遊技板嵌合部７７に嵌め込むことができる。
【００９７】
遊技板１１の右側辺を遊技板嵌合部７７に近づけるように回動させると図１６に示すように、遊技板１１の後面に離脱補助突部１１３，１１３が当接する。この時点では、遊技板１１の全体が遊技板嵌合部７７に嵌合した状態（完全嵌合状態）ではなく、依然として、遊技板１１の右側辺が遊技板嵌合部７７の前面開口側に押し出された一側部嵌合状態である。ここで、遊技板１１は、一側部嵌合状態で遊技板嵌合部７７の下辺に支持され、遊技板嵌合部７７との間の摩擦によって一側部嵌合状態になる位置から完全嵌合状態になる位置までの任意の位置で停止可能となる。よって、一側部嵌合状態とした後で遊技板１１から手を離した場合でも、一側部嵌合状態のまま遊技板１１を内枠７５に保持させることができる。また、一側部嵌合状態の遊技板１１の下縁部に係止することで、可倒式係止レバー１１０も開始端位置と解除端位置との間で停止可能となる。
【００９８】
遊技板１１を一側部嵌合状態から完全嵌合状態にするには、遊技板１１を遊技板嵌合部７７に押し込むか、或いは、可倒式係止レバー１１０を起こすように回動操作して、解除端位置から係止端位置に切り換える。遊技板１１を押し込んだ場合には、離脱補助突部１１３，１１３が遊技板１１に押されることで、可倒式係止レバー１１０が係止端位置に向かって回動する。そして、遊技板１１が完全嵌合状態になると、離脱補助突部１１３，１１３が抜止壁７７Ａの後側に退避すると共に、可倒式係止レバー１１０が係止端位置になり、押圧片１１６が遊技板１１の前面に当接して抜止壁７７Ａとの間で遊技板１１を挟んだ状態になる（図１５に示す状態）。
【００９９】
一方、可倒式係止レバー１１０を手動操作して係止端位置に移動させた場合には、押圧片１１６が遊技板１１の下端縁と係合しかつ後方に押すことで、遊技板１１の全体が遊技板嵌合部７７に嵌め込まれる。
【０１００】
遊技板１１を完全嵌合状態にすると、可倒式係止レバー１１０がコイルバネ１０３の弾発力によって係止端位置に維持される。
【０１０１】
遊技板１１を完全嵌合状態、換言すれば、可倒式係止レバー１１０を係止端位置にしたら、上部係止部材１２０を係止位置に切り換える。これにより、固定抜止部１３０，１３０と遊技板係止機構１００と上部係止部材１２０とが協働して遊技板１１を遊技板嵌合部７７に抜け止めする。なお、本実施形態では、上部係止部材１２０を備えているが、遊技板係止機構１００と固定抜止部１３０，１３０だけを備えた構成でも、遊技板１１を抜け止めすることが可能である。
【０１０２】
遊技板嵌合部７７に遊技板１１を抜け止めしたら、ガラス扉９５を内枠７５に対して閉鎖位置にして、ガラス扉９５の係止片９４Ａ，９４Ａと内枠７５に備えた扉係止具７４，７４とを係止させる（ガラス扉９５を閉鎖位置にロックする）。このとき、図１７（Ａ）から同図（Ｂ）への変化に示すように、扉側押圧部材９３は、係止端位置に位置する可倒式係止レバー１１０の回動操作部１１５とロック板１０４との間に進入し、係止突部１１２，１１２の前縁部に突き当たる。これにより、可倒式係止レバー１１０を確実に係止端位置へと移動させることができるが、扉側押圧部材９３は必ずしも係止突部１１２と突き当たるようにする必要はない。
【０１０３】
ここで、ガラス扉９５を閉鎖位置にしたときに、扉側押圧部材９３が可倒式係止レバー１１０における回動操作部１１５の下方に配置されかつ係止突部１１２，１１２に突き当たるようにしたことで、可倒式係止レバー１１０の解除端位置側への回動を確実に禁止することができる。これにより、ガラス扉９５を閉鎖位置にしたままで、可倒式係止レバー１１０を解除端位置に切り換えるという不正行為を防止することができる。以上が、遊技板１１を内枠７５に取り付けるときの操作である。
【０１０４】
遊技板１１を内枠７５（遊技板嵌合部７７）から取り外す場合は、取り付ける場合と逆の操作を行えばよい。即ち、ガラス扉９５を開いて上部係止部材１２０を係止解除位置にし、次に、遊技板係止機構１００を係止解除状態、具体的には、可倒式係止レバー１１０を手前側に倒して係止端位置（図１５に示す状態）から解除端位置（図１６に示す状態）に切り換える。
【０１０５】
可倒式係止レバー１１０を解除端位置に切り替える際には、ブラケット１０１から前方に張り出したロック板１０４と可倒式係止レバー１１０の回動操作部１１５とを指で挟んで持ち、可倒式係止レバー１１０の角部１１４Ｃを支点としてロック板１０４を上方に反らせる。すると、可倒式係止レバー１１０が手前側に回動可能となり、可倒式係止レバー１１０がコイルバネ１０３の弾発力に抗してロック板１０４を押し下げながら解除端位置まで回動する。
【０１０６】
図１５から図１６への変化に示すように、可倒式係止レバー１１０が係止端位置から解除端位置に向かって回動すると、離脱補助突部１１３，１１３がスリット７７Ｓ，７７Ｓを通って抜止壁７７Ａの前面側に突出し、遊技板１１の後面に突き当たって遊技板１１を遊技板嵌合部７７の前面開口へと押し出す。即ち、可倒式係止レバー１１０の解除操作を行うことで、遊技板１１の右側部が遊技板嵌合部７７の前面開口側に押し出されて、完全嵌合状態から一側部嵌合状態に変化する。
【０１０７】
可倒式係止レバー１１０を解除端位置にしたら、一側部嵌合状態になった遊技板１１のうち手前側に迫り出した右側部を把持し、遊技板１１の左側部を中心にして遊技板１１を手前側（遊技板嵌合部７７の前方）に回動させ、さらに、遊技板１１を斜め右側方に水平移動させて、固定抜止部１３０，１３０と抜止壁７７Ａとの間の隙間から遊技板１１の左側辺を抜き取る。これにより、内枠７５から遊技板１１が離脱する。
【０１０８】
ここで、内枠７５から遊技板１１を離脱させた後、可倒式係止レバー１１０を解除端位置にしたままガラス扉９５を閉鎖位置に向けて回動させた場合は、以下のようになる。即ち、図１８（Ａ）から同図（Ｂ）への変化に示すように、扉側押圧部材９３は、可倒式係止レバー１１０と接触することなく係止突部１１２，１１２の上方を通過し、係止突部１１２，１１２と離脱補助突部１１３，１１３との間に進入する。そして、ガラス扉９５は閉鎖位置になる。つまり、内枠７５から遊技板１１を離脱させた場合には、可倒式係止レバー１１０が解除端位置であってもガラス扉９５を閉鎖位置にすることができる。
【０１０９】
遊技板１１が一側部嵌合状態でかつ可倒式係止レバー１１０を解除端位置としたまま、ガラス扉９５を閉鎖位置に向けて回動させた場合には、以下のようになる。即ち、遊技板１１の右側部が遊技板嵌合部７７の前面開口側に押し出されているため、図１９に示すように、扉側押圧部材９３が遊技板１１に突き当たって遊技板１１を遊技板嵌合部７７の奥へと押し込むと共に、その遊技板１１に押されて可倒式係止レバー１１０が解除端位置から若干回動する。しかしながら、扉側押圧部材９３が、係止突部１１２，１１２の上方（換言すれば、係止突部１１２，１１２の回動領域内）に進入するため、その扉側押圧部材９３との干渉によって可倒式係止レバー１１０、遊技板１１、ガラス扉９５が全て動かなくなる。即ち、可倒式係止レバー１１０が解除端位置の近傍位置からそれ以上係止端位置側に移動不可能となり、遊技板１１を完全嵌合状態にすることが不可能となって、ガラス扉９５を閉鎖位置にすることも禁止される。
【０１１０】
ここで、上記したように、遊技板１１は、一側部嵌合状態になる位置から完全嵌合状態になる位置までの間の任意の位置で停止可能なので、その遊技板１１の下端縁と係合することで、可倒式係止レバー１１０も係止端位置と解除端位置との間の任意の位置で停止可能となる。このときの可倒式係止レバー１１０の状態が、本発明の「回動停止状態」に相当する。
【０１１１】
そして、可倒式係止レバー１１０を係止端位置に向けて回動操作したものの、その操作が不十分で、可倒式係止レバー１１０を解除端位置と係止端位置との間で停止させたまま（換言すれば、遊技板１１を一側部嵌合状態にしたまま）、ガラス扉９５を閉鎖位置に向けて回動させた場合には、可倒式係止レバー１１０の停止位置に応じて、ガラス扉９５を閉鎖可能な場合と閉鎖不可能な場合とに分かれる。
【０１１２】
具体的には、図２０（Ｂ）に示すように、可倒式係止レバー１１０における回動操作部１１５の先端が、扉側押圧部材９３における先端起立壁９３Ｂの下端縁９３Ｂ１より下側に位置している場合には、ガラス扉９５を閉鎖位置に近づける過程で、扉側押圧部材９３（詳細には、水平突出壁９３Ａと先端起立壁９３Ｂとが交差したコーナー湾曲部９３Ｄ）が回動操作部１１５の上面に突き当たって摺接する。このとき、可倒式係止レバー１１０は、コーナー湾曲部９３Ｄによって下方に押されて、解除端位置に向かって回動する。この場合は、ガラス扉９５を閉鎖位置に近づけても、前述したように、遊技板１１と可倒式係止レバー１１０と扉側押圧部材９３とが相互に干渉し合うため、可倒式係止レバー１１０、遊技板１１、ガラス扉９５がそれ以上移動不可能となり、ガラス扉９５を閉鎖位置にすることが禁止される（図１９参照）。
【０１１３】
一方、図２０（Ａ）に示すように、可倒式係止レバー１１０における回動操作部１１５の先端が、扉側押圧部材９３における先端起立壁９３Ｂの下端縁９３Ｂ１と上端縁９３Ｂ２との間に位置している場合には、ガラス扉９５を閉鎖位置に近づけたときに、扉側押圧部材９３の先端起立壁９３Ｂが回動操作部１１５の先端に突き当たる。そして、ガラス扉９５が閉鎖位置に近づくに従って、回動操作部１１５の先端が先端起立壁９３Ｂと摺接しながら押し上げられて、可倒式係止レバー１１０が係止端位置に向かって回動する。また、回動操作部１１５の先端が先端起立壁９３Ｂの上端縁９３Ｂ２より上方に移動して、可倒式係止レバー１１０が係止端位置の近傍位置になると、先端起立壁９３Ｂは係止突部１１２，１１２に当接する。そして、係止突部１１２，１１２が扉側押圧部材９３に押されることで、可倒式係止レバー１１０が係止端位置になる。これによりガラス扉９５が閉鎖位置になる。
【０１１４】
なお、図示しないが、可倒式係止レバー１１０における回動操作部１１５の先端が、当初から、扉側押圧部材９３における先端起立壁９３Ｂの上端縁９３Ｂ２より上方に位置（可倒式係止レバー１１０が係止端位置の近傍に位置）していた場合も、ガラス扉９５を閉鎖位置に向けて回動させることで、係止突部１１２，１１２が扉側押圧部材９３に押され、可倒式係止レバー１１０を係止端位置に移動させてガラス扉９５を閉鎖位置にすることができる。
【０１１５】
ここで、扉側押圧部材９３との当接によって可倒式係止レバー１１０を係止端位置に向かって回動させることが可能な限界の位置、具体的には、図２０（Ａ）にて一点鎖線で示された回動操作部１１５のように、回動操作部１１５の先端が扉側押圧部材９３における先端起立壁９３Ｂの下端縁９３Ｂ１とちょうど同じ高さになっているときの可倒式係止レバー１１０の回動位置が、本発明の「連動係止境界位置」、「所定位置」に相当する。
【０１１６】
以上の動作を纏めると以下のようになる。まず、遊技板１１を内枠７５から離脱させた状態では、可倒式係止レバー１１０が係止端位置及び解除端位置の何れの位置であっても、ガラス扉９５の閉鎖位置への移動が許容される。
【０１１７】
遊技板１１を遊技板嵌合部７７に対して完全嵌合状態にすると、可倒式係止レバー１１０が係止端位置に位置し、その状態でガラス扉９５を閉鎖位置に近づけると、扉側押圧部材９３が回動操作部１１５とロック板１０４との間に進入する。このときも、ガラス扉９５の閉鎖位置への移動が許容される。
【０１１８】
遊技板１１を一側部嵌合状態にした場合、可倒式係止レバー１１０は、遊技板１１の下縁部と係合することで、係止端位置と解除端位置との間の任意の位置で停止する。その停止位置が、係止端位置と連動係止境界位置との間である場合、ガラス扉９５を閉鎖位置に近づけることで、扉側押圧部材９３が可倒式係止レバー１１０を係止端位置側に回動させる。よって、ガラス扉９５の閉鎖位置への移動が許容される。
【０１１９】
一方、可倒式係止レバー１１０の停止位置が、連動係止境界位置より解除端位置側である場合は、ガラス扉９５を閉鎖位置に近づけることで、扉側押圧部材９３が可倒式係止レバー１１０と当接して、可倒式係止レバー１１０の係止端位置側への回動を禁止する。具体的には、扉側押圧部材９３が可倒式係止レバー１１０を解除端位置側に回動させる。そして、遊技板１１、可倒式係止レバー１１０、扉側押圧部材９３が相互干渉して、可倒式係止レバー１１０が解除端位置の近傍位置からそれ以上係止端位置へ移動不可能となるため、ガラス扉９５の閉鎖位置への移動が禁止される（図１９参照）。
【０１２０】
このように、本実施形態の遊技機によれば、可倒式係止レバー１１０が完全な係止端位置になく、係止端位置からずれていても、そのずれが所定の範囲内であれば、ガラス扉９５を閉鎖位置に移動させる過程で扉側押圧部材９３が可倒式係止レバー１１０の位置を係止端位置に修正し、ガラス扉９５を閉鎖位置にすることができる。即ち、可倒式係止レバー１１０が係止端位置のときのみならず、係止端位置と連動係止境界位置との間に位置しているときでもガラス扉９５を閉鎖位置にすることができる。よって、組み立て作業を従来よりも円滑に行うことができる。
【０１２１】
ここで、仮に、連動係止境界位置を設けなかった場合、即ち、ガラス扉９５を閉鎖位置に近づけたときに、可倒式係止レバー１１０が解除端位置から係止端位置まで回動するように構成するためには、本実施形態における連動係止境界位置を「解除端位置」に設定すればよい。即ち、可倒式係止レバー１１０の回動可能範囲を本実施形態の構成よりも狭くすればよい。しかしながら、回動可能範囲を狭くすると、可倒式係止レバー１１０が、遊技板１１を遊技板嵌合部７７の前面開口から着脱する際の障害になり、円滑な作業を妨げる虞がある。
【０１２２】
これに対し、本実施形態では、係止端位置と解除端位置の中間に連動係止境界位置を設定したので、上記したように連動係止境界位置を設定しなかった場合よりも、可倒式係止レバー１１０の回動可能範囲を広くすることができる。よって、可倒式係止レバー１１０を解除端位置にしておけば、遊技板１１の着脱の際に可倒式係止レバー１１０が障害にならず、遊技板１１の着脱を円滑に行うことができる。
【０１２３】
また、一側部嵌合状態でかつ可倒式係止レバー１１０が解除端位置に配置された状態では、ガラス扉９５を閉鎖位置に近づけたときに、遊技板１１と扉側押圧部材９３と可倒式係止レバー１１０との相互干渉によってガラス扉９５の閉鎖位置への移動が禁止されるので、可倒式係止レバー１１０による遊技板１１の抜け止めが不完全なまま、ガラス扉９５が閉鎖されることを防止することができる。これに対し、遊技板１１を内枠７５から離脱させた状態であれば、可倒式係止レバー１１０の回動位置に関係なくガラス扉９５を閉鎖位置にすることができ、遊技板１１を内枠７５から離脱させた状態でガラス扉９５を閉鎖位置にする場合に、可倒式係止レバー１１０を係止端位置に戻すという無駄な操作を省くことができる。また、これにより、遊技板１１を取り付ける際に可倒式係止レバー１１０を係止端位置から解除端位置にするという操作が不要となるので遊技板１１の取り付けの作業性が向上する。
【０１２４】
また、可倒式係止レバー１１０を係止端位置から解除端位置へと回動操作することで、離脱補助突部１１３，１１３が、完全嵌合状態の遊技板１１を遊技板嵌合部７７から押し出して一側部嵌合状態にすることができるので、遊技板嵌合部７７からの遊技板１１の取り出しを容易に行うことが可能となる。
【０１２５】
［他の実施形態］
本発明は、前記実施形態に限定されるものではなく、例えば、以下に説明するような実施形態も本発明の技術的範囲に含まれ、さらに、下記以外にも要旨を逸脱しない範囲内で種々変更して実施することができる。
【０１２６】
（１）前記実施形態パチンコ遊技機に本発明を適用していたが、遊技板１１を遊技板収容枠（内枠７５）に嵌め込んで抜け止めする遊技機であれば、コイン遊技機やスロットマシン等に本発明を適用してもよい。
【０１２７】
（２）前記実施形態では、内枠７５の前面側に本発明に係る「回動扉」としてのガラス扉９５を備えて内枠７５の前面側の開口から遊技板嵌合部７７に遊技板１１を着脱可能な構成としていたが、内枠７５の後面側に「回動扉」を設けて遊技板１１を内枠７５の後面側から着脱可能な構成としてもよい。
【０１２８】
（３）上記実施形態において、遊技板嵌合部７７の下辺に遊技板係止機構１００を設けていたが、遊技板嵌合部７７の上辺、上部係止部材１２０が設けられた位置、遊技板嵌合部７７の右側辺に遊技板係止機構１００を設けてもよい。また、１つだけでなく、複数個備えていてもよい。
【０１２９】
（４）上記実施形態では、可倒式係止レバー１１０に離脱補助突部１１３，１１３を形成していたが、離脱補助突部が無くてもよい。
【０１３０】
（５）上記実施形態では、遊技板１１を内枠７５から離脱させた状態では、可倒式係止レバー１１０が係止端位置又は解除端位置の何れの位置であっても、ガラス扉９５の閉鎖位置への移動が許容される構成であったが（図１８参照）が、図２１（Ｃ）に示すように、可倒式係止レバー１１０が解除端位置のときは、ガラス扉９５の閉鎖位置への移動が、遊技板１１の有無に拘わらず禁止されるようにしてもよい。具体的には、可倒式係止レバー１１０が解除端位置の状態でガラス扉９５が閉鎖位置へと回動したときに、扉側押圧部材９３（詳細には、コーナー湾曲部９３Ｄ）が回動操作部１１５に当接するように配置すればよい。この場合、扉側押圧部材との当接によって係止端位置に修正することが可能な範囲が、上記実施形態の構成に比べて広がる。また、図２１（Ｂ）に示すように、円弧部１１４Ａがロック板１０４と当接した回動位置では、係止可倒式係止レバー１１０から手を離しても可倒式係止レバー１１０が係止端位置及び解除端位置の何れの端部側にも移動せずに、その位置（係止端位置と解除端位置との中間位置）で保持される。この位置が保持可能な範囲（円弧部１１４Ａとロック板１０４とが当接可能な範囲）に、連動係止境界位置を設定してもよい。なお、同図（Ｂ）に示されている可倒式係止レバー１１０に対して係止端位置側に向かう力が加えられると、可倒式係止レバー１１０とロック板１０４との接点が円弧部１１４Ａから角部１１４Ｃへと移り、接点が角部１１４Ｃになると、可倒式係止レバー１１０の姿勢保持が困難となって係止端位置へと移動するようになっている。
【０１３１】
（６）上記実施形態では、扉側押圧部材９３の先端起立壁９３Ｂを水平面に対して直角に起立させていたが、上端縁に向かってガラス扉９５の裏面側に倒れるように傾斜させてもよい。このようにすれば、回動操作部１１５の先端が先端起立壁９３Ｂに当接した場合に、可倒式係止レバー１１０をより円滑に係止端位置に向けて回動させることが可能となる。
【０１３２】
（７）上記実施形態において、ロック板１０４の後端縁から垂直壁を起立させて、その垂直壁を支柱１０２、抜止壁７７Ａ及び各Ｕ字形状部１１１，１１１で囲まれた空間内に配置し、遊技球が前記空間内に入り込むのを防止する構成にしてもよい。
【０１３３】
（８）上記実施形態において、回動操作部１１５の先端側部分を摩擦抵抗の小さい樹脂で覆って扉側押圧部材９３との摺動性を向上させてもよい。
【０１３４】
（９）上記実施形態では、１対のＵ字形状部１１１，１１１を回動操作部１１５で連結して可倒式係止レバー１１０を形成していたが、１つのＵ字形状部１１１に回動操作部１１５を一体に設けて可倒式係止レバーとしてもよい。
【０１３５】
（１０）上記実施形態では、可倒式係止レバー１１０が連動係止境界位置より解除端位置側に配置された状態でガラス扉９５を閉鎖位置に向けて回動させたときに、可倒式係止レバー１１０が扉側押圧部材９３と当接して解除端位置側に回動するように構成されていたが、係止端位置側への回動を禁止可能な構成であればよく、例えば、可倒式係止レバー１１０が連動係止境界位置より解除端位置側に配置された状態でガラス扉９５を閉鎖位置に向けて回動させたときに、可倒式係止レバー１１０が扉側押圧部材９３と当接して回動可能範囲の何れの端部側にも回動不可能になるようにしてもよい。
【０１３６】
（１１）上記実施形態では、可倒式係止レバー１１０が連動係止境界位置より解除端位置側に配置された状態でガラス扉９５を閉鎖位置に向けて回動させたときに、扉側押圧部材９３が可倒式係止レバー１１０に当接して押すことで、可倒式係止レバー１１０が係止端位置に向かって回動するように構成されていたが、扉側押圧部材９３が可倒式係止レバー１１０とは異なる他の部材に当接することで、他の部材を介して間接的に可倒式係止レバー１１０を係止端位置側に回動させる構成も本発明の技術的範囲に含まれる。具体的には、例えば、扉側押圧部材９３が遊技板１１に当接することで、その遊技板１１に押されて可倒式係止レバー１１０が係止端位置側に回動するように構成してもよい。なお、このとき扉側押圧部材９３と当接する「他の部材」は遊技板１１に限定するものではなく、遊技板１１に設けられた部材や、内枠７５に設けられた部材であってもよい。
【符号の説明】
【０１３７】
１０    パチンコ遊技機
１１    遊技板
７３    機構受容部
７４    扉係止具
７５    内枠（遊技板収容枠）
７７    遊技板嵌合部
９３    扉側押圧部材
９３Ａ    水平突出壁
９３Ｂ    先端起立壁
９４Ａ    係止片
９５    ガラス扉（ガラス扉）
１００    遊技板係止機構
１０１    ブラケット（溝形ベース部）
１０１Ａ，１０１Ａ    対向壁
１０１Ｂ    底壁（底部）
１０２    支柱
１０３    コイルバネ（付勢部材）
１０４    ロック板（可動板）
１０５    回動中心シャフト
１１０    可倒式係止レバー（可倒式係止レバー）
１１１，１１１    Ｕ字形状部
１１２    板挟持部（係止突部）
１１３    板挟持部（離脱補助突部）
１１４    連絡部（底辺部）
１１４Ａ    円弧部
１１４Ｂ    平坦部
１１４Ｃ    角部
１１５    回動操作片（回動操作部）
１３０    固定抜止部
【図１】
2011010773.tif 000003
【図２】
2011010773.tif 000004
【図３】
2011010773.tif 000005
【図４】
2011010773.tif 000006
【図５】
2011010773.tif 000007
【図６】
2011010773.tif 000008
【図７】
2011010773.tif 000009
【図８】
2011010773.tif 000010
【図９】
2011010773.tif 000011
【図１０】
2011010773.tif 000012
【図１１】
2011010773.tif 000013
【図１２】
2011010773.tif 000014
【図１３】
2011010773.tif 000015
【図１４】
2011010773.tif 000016
【図１５】
2011010773.tif 000017
【図１６】
2011010773.tif 000018
【図１７】
2011010773.tif 000019
【図１８】
2011010773.tif 000020
【図１９】
2011010773.tif 000021
【図２０】
2011010773.tif 000022
【図２１】
2011010773.tif 000023